(57)【要約】【課題】  厚さや幅等の大小の大きさの異なる複数種類のカードを同一のカードコネクタに挿入して使用する際に、カードに特別な細工を加えること無く、好適に利用でき、かつカードを区別して認識することができる。【解決手段】  複数のコンタクトが配設されたコネクタ本体と、前記コネクタ本体には、複数のカード装着部が構成され、且つコネクタ本体には、前記複数のカード装着部の内の１つに挿入されるカードを案内する複数のガイド部を備えたガイド部材が配設されている。  【選択図】  図４
2006164749.tif 000002
【特許請求の範囲】
【請求項１】
複数のコンタクトが配設されたコネクタ本体と、
前記コネクタ本体には、複数のカード装着部が構成され、
且つコネクタ本体には、前記複数のカード装着部の内の１つに挿入されるカードを案内する複数のガイド部を備えたガイド部材が配設されていることを特徴とするカードコネクタ。
【請求項２】
前記ガイド部材は、板ばね材から形成されるガイド本体と、
前記第１ガイド部としての、前記ガイド本体を折り曲げて形成される折曲部と、
前記第２ガイド部としての、前記ガイド本体から下方に延びるアーム部を折り曲げて形成される傾斜部と、
を備えることを特徴とする請求項１記載のカードコネクタ。
【請求項３】
前記挿入されるカードのいずれか一方は、キャリアに組み込まれてコネクタ本体に挿入されることを特徴とする請求項１記載のカードコネクタ。
【請求項４】
前記ガイド部材と隣接してカード認識用コンタクトが設けられたことを特徴とする請求項１または２記載のカードコネクタ。
【発明の詳細な説明】
【技術分野】
【０００１】
本発明は、携帯電話機、パソコン、テレビ、ビデオ、デジタルカメラ等の電子機器に使用されるカードコネクタに係わるもので、特に、同一の挿入口から複数種類のカードを挿入し使用できるカードコネクタに関するものである。
【背景技術】
【０００２】
近年、デジタル家電産業の興隆に伴い、携帯電話機、パソコン、テレビ、ビデオ、デジタルカメラ等の電子機器は、ＣＰＵやメモリ用素子などのＩＣ部品が組込まれたＩＣカードが各種開発されている。
【０００３】
このＩＣカードを電子機器に電気的に接続するためには、カードコネクタを用いることが一般的である。ところで、デジタル家電産業では日進月歩の開発がなされ、このようなカードコネクタについては、異なる複数種類のカードを共通の挿入口で使用可能にすることが需要者から望まれている。この需要を満足させるために、コネクタメーカーでは複数種類のＩＣカードを共通の挿入口で使用できるカードコネクタを開発してきた（例えば、特許文献１）。
【０００４】
【特許文献１】特許第３３９６４５７号公報
【発明の開示】
【発明が解決しようとする課題】
【０００５】
しかし、電子機器に用いられるＩＣカードの小型化が進むにつれ、幅と厚さと共に従来のＩＣカードと比較して小さいカードが複数種開発されてきた。
【０００６】
そのため、従来のＩＣカードと、幅と厚さと共に従来のＩＣカードと比較して小さいカードとを共通の挿入口で使用する場合、幅と厚さと共に従来のＩＣカードと比較して小さいカードが、従来のＩＣカードが収容される収容部に挿入される恐れがある。
【０００７】
かかるように、ユーザーが誤った箇所に誤ったカードを挿入した場合、カードコネクタに配設されたコンタクトが、挿入されるカードの接触パッド部に対応した位置に配設されているため、誤って挿入されたカードを認識することができず、電子機器の故障の原因となることは理の当然である。
【０００８】
また、複数種開発されている幅と厚さ共に従来のＩＣカードと比較して小さいカードは、幅や厚さ等の外形寸法の差異が小さく、非常に類似した外形寸法となるため、それらのＩＣカードを共通の挿入口で使用する場合は、ユーザーが誤ったカードを挿入する恐れがある。
【０００９】
従って、本発明の目的は、以上の問題点に鑑み、挿入されるカードが、誤った箇所に挿入されることを防止し、複数種類のＩＣカードが使用可能なカードコネクタを提供することにある。
【課題を解決するための手段】
【００１０】
上記目的を達成するため、本発明のカードコネクタは、複数のコンタクトが配設されたコネクタ本体と、前記コネクタ本体には、複数のカード装着部が構成され、且つコネクタ本体には、前記複数のカード装着部の内の１つに挿入されるカードを案内する複数のガイド部を備えたガイド部材が配設されていることを特徴とする。
【発明の効果】
【００１１】
以上説明したように、本発明に係わるカードコネクタは、ＩＣカードをキャリアに装着させるため、外形寸法が類似するＩＣカードとは異なる外形寸法のＩＣカードとして使用することができる。
【００１２】
また、カードガイドにより各ＩＣカードをそれぞれ所定の収容部にガイドできるようにすることができる。
【００１３】
本発明のその他の目的や特徴および利点は、添付図面に示される本発明の実施形態についての以下の詳細な説明から明らかである。
【発明を実施するための最良の形態】
【００１４】
本発明のカードコネクタは、一端にカード挿入口を有するコネクタ本体と、このコネクタ本体に組み合わされるカバー部材と、このコネクタ本体に配設された複数個の第１コンタクトおよび第２コンタクトとを備え、コネクタ本体に挿入されるＩＣカードをそれぞれ所定の収容部にガイドするガイド部材が設けられていることを基本的な構成としている。
【００１５】
本発明のその他の目的や特徴および利点は、添付図面に示される本発明の実施形態についての以下の詳細な説明から明らかである。
【実施例】
【００１６】
図１乃至図８は、本発明のカードコネクタの一実施例における構成を示す図面で、図１は、本発明のカードコネクタの斜視図、図２は、本発明のカードコネクタをカード挿入口側から見た端面図、図３は、図１のIII―III線に沿った断面図、図４は、図１の本発明のカードコネクタのカバー部材を取外した斜視図、図５は、本発明のカードコネクタの一方の側壁に設けられたカードガイドの拡大部分斜視図、図６は、図１の本発明のカードコネクタのカバー部材を取外した平面図、図７は、図５のカードガイドの斜視図、図８は、図５のカードガイド部分における平面部分図である。
【００１７】
図１乃至図４に示されるように、カードコネクタ１は、一端にカード挿入口９を有するコネクタ本体３と、このコネクタ本体３を覆うことによりカード収容空間を形成するカバー部材４と、このコネクタ本体３に配設された複数個の第１コンタクト５および第２コンタクト６とから基本構成されている。
【００１８】
この実施例の特徴部分は、コネクタ本体３に挿入されるカードをそれぞれ所定の収容部にガイドするガイド部材としてのカードガイド１０が設けられていることである。
【００１９】
なお、カードコネクタの実施例には、イジェクト機構８が設けられているが、これが無くても発明を構成することは言うまでもない。
【００２０】
次に、各構成について記述する。
【００２１】
このような構成の本発明のカードコネクタ１は、コネクタ本体３と、カバー部材４とを組み合わせて、カード収容空間を構成する。
【００２２】
コネクタ本体３は、ほぼ方形の板状を成したベース部２０を有しており、両側に側壁２１、２２が設けられ、一方の端部に端壁２３が設けられている。
【００２３】
このようにコネクタ本体３は、図示されるように側壁２１、２２と端壁２３とにより三方が囲まれており、一方の開口している部分がカード挿入口９となる。
【００２４】
ベース部２０は、中程の幾らか後方に、段付き部が設けられ、カード収容部である前カード装着部１２と、後方の前カード装着部１２より一段高くなった後カード装着部１３とが形成される。
【００２５】
前カード装着部１２には、挿入されるカードと電気的に接触するための複数個の第１コンタクト５が、並列して配設されている。
【００２６】
第１コンタクト５は、弾性を有し挿入されるカードのパッド部分に電気的に接触する接触部と、カードコネクタ１が用いられる電子機器側の配線基板の電極部に固定され電気的に接続される端子部と、その接触部と端子部とを相互に連結し、ベース部２０に固定される固定部とを含んで構成される。第１コンタクト５の固定部は、ベース部２０に形成される溝２６に、カード挿入方向側から圧入され、ベース部２０に固定されている。
【００２７】
後カード装着部１３も同様に、挿入されるカードと電気的に接触するための複数個の第２コンタクト６が、並列して配設されている。
【００２８】
第２コンタクト６は、弾性を有し挿入されるカードのパッド部分に電気的に接触する接触部と、カードコネクタ１が用いられる電子機器側の配線基板の電極部に固定され電気的に接続される端子部と、その接触部と端子部とを相互に連結し、ベース部２０に固定される固定部とを含んで構成される。第２コンタクト６の固定部は、ベース部２０に形成される溝２７に、端壁２３に形成される透孔を通じて、カード挿入方向とは反対方向側から圧入され、ベース部２０に固定されている。
【００２９】
第１コンタクト５と、第2コンタクト６とは、接触部の位置が異なる高さに位置されており、第１コンタクト５の接触部が第２コンタクト６の接触部より低い位置に配置されている。
【００３０】
コネクタ本体３の側壁２１、２２の外面には突部２９および２９ａが形成され、カバー部材４の側壁および前壁に形成された開口部３８および３８ａと嵌め合わせることにより、カバー部材４をコネクタ本体３へ取付けることができる。また、コネクタ本体３の端壁２３には突部２９ｂ（図６）が形成され、カバー部材４の端壁部分の開口部（図示しない）と、同じように嵌め合わせられる。
【００３１】
側壁２１、２２のカード挿入口側には、カード挿入口９の断面形状が下方に凸状になるように、上段案内路２４と下段案内路２５とが階段状に設けられている。
【００３２】
上段案内路２４と下段案内路２５は、後述する前カード装着部１２の前方に配設されるカードガイド１０Ａおよび１０Ｂに、挿入されるカードが当接する位置まで案内するよう連続的に形成されている。
【００３３】
また、側壁２１、２２には、コネクタ本体３に挿入されるカードをそれぞれ所定の収容部にガイドするカードガイド１０Ａおよび１０Ｂが、線対称の形状に形成されて設けられている。
【００３４】
なお、カードガイド１０Ａおよび１０Ｂは、同様の構成を有するためカードガイド１０Ａについて説明を行ない、カードガイド１０Ｂについての説明を省略する。
【００３５】
図５、７、８に明示されるように、カードガイド１０Ａは、金属薄板材料から打ち抜きや折り曲げ等のプレス加工により成り、カードガイド本体１４、カード認識部１５、ガイド傾斜部１６、取付脚部１８を備えている。
【００３６】
カードガイド本体１４は、横方向（挿入されるカードの幅方向）外方に弾性変位可能な自由端部として片持ちばね状に弾性支持されるように形成される。
【００３７】
カードガイド本体１４のほぼ中間部分には、折曲部１９においてカード収容部側へ所定の角度に折り曲げられた、前カード装着部１２に挿入されるカードと当接するカード認識部１５が形成されている。
【００３８】
カードガイド本体１４の一端には、下方に延びるアーム部１７から横方向に、カード収容部側へ折り曲げられて形成されたガイド傾斜部１６が形成されている。
【００３９】
ガイド傾斜部１６は、カード挿入口側からカード挿入方向に向かって上方に傾斜するスロープとして、後カード装着部１３に挿入されるカードをガイドするように形成されている。
【００４０】
カードガイド本体１４のアーム部１７が設けられる端部とは逆の他端には、取付脚部１８が設けられ、側壁２２の取付用の孔に差し込まれて取付けられている。
【００４１】
このカードガイド１０Ａおよび１０Ｂを電気的なカード認識として用いる場合もある。
その場合の説明もカードガイド１０Ａについて説明を行ない、カードガイド１０Ｂについての説明を省略する。
【００４２】
図８に示されるように、電気的なカード認識として用いられるカードガイド１０Ａは、カードコネクタ１が用いられる電子機器側の配線基板に信号を流すための端子部５１を有することが、通常のカードガイド１０Ｂとは異なる。
【００４３】
さらに、カード認識用コンタクト５０が側壁２２に設けられる。
【００４４】
カード認識用コンタクト５０は、外方に弾性変位可能な自由端部として片持ちばね状に弾性支持されるように形成され、カードガイド１０Ａが外方に弾性変位した時に当接する位置に配設されている。
【００４５】
また、カード認識用コンタクト５０は、カードコネクタ1が用いられる電子機器側の配線基板に信号を流すための端子部５２を有している（図２０）。
【００４６】
カードガイド１０Ａの後方（カード挿入方向）には、挿入されるカードを前カード装着部１２または後カード装着部１３に保持するとともに、選択的に前カード装着部１２または後カード装着部１３から排出するイジェクト機構８が設けられている。
【００４７】
イジェクト機構８は、図４、図６に示されるように、ベース部材２０に対して相対的に移動されつつ支持されるイジェクト部材４０と、ベース部材２０の内面部およびイジェクト部材４０相互間に配置され、イジェクト部材４０を挿入されるカードの排出方向に付勢するコイルスプリングのようなばね部材４２と、イジェクト部材４０に形成されたハート形カム４３と、ハート形カム４３の周りに形成されたカム溝４４と、一端がコネクタ本体３に枢支されて他端がカム溝４４に係合されたカムレバー４５とを有している。
【００４８】
イジェクト部材４０は、ほぼＬ字形をなしており、横方向に内側に向かって延びる脚部がカード受け部４１を形成している。
【００４９】
カード受け部４１は、後カード装着部１３に挿入されるカードの形状に合致されるように形成されている。カード受け部４１は、本実施例においては挿入されるカードの切欠き部分の形状に合致するよう形成されているため、挿入されるカードが裏差しまたは逆差しされることを防止が可能となる。
【００５０】
また、イジェクト部材４０は、長手方向の他方の脚部、すなわちカード挿入口側に延びる脚部の前端部分の端面において、前カード装着部１２に挿入されるカードと当接するようになっている。
【００５１】
カム溝４４は、ハート形カム４３の頭部側のほぼ中央に凹部４６を有している。
【００５２】
凹部４６の両側には、角（つの）状に延びる一対の作動開始用溝４７と、ハート形カム４３の尖った先端部から後方に延びる直線状作動溝４８とを有している。
【００５３】
次いで、本発明のカードコネクタの使用形態について説明する。
【００５４】
なお、本発明のカードコネクタに挿入されるカードとして、例えば第１のカードとしてＭＳデュオカード（商品名）、第２のカードとしてＳＤカード（商品名）と、第３のカードとしてミニＳＤカード（商品名）とを使用することができる。また、本発明において使用されるこれらＭＳデュオカードとＳＤカードとミニＳＤカードとを、以下に、単に、それぞれ「第１カードＤ」と「第２カードＳ」と「第３カードＭ」と言うものとする。
【００５５】
図９に示されるように、第１カードＤは、所定の外形寸法幅Ｄｗと所定の厚みＤｔを有し、一端に切欠きＤａが設けられている。また、先端部下面に後述するコネクタ本体３に配設された第２コンタクト６と電気的に接触するパッド部Ｄｃが所定のピッチで配置されている。
【００５６】
図１０に示されるように第２カードＳは、第１カードＤあるいは後述する第３カードＭと比較して大きい所定の外形寸法幅Ｓｗと所定の厚みＳｔとを有し、左右両側縁が階段状に段の付いた二段厚形カード形状である。断面形状（図示しない）は下方にほぼ凸状になった形状をなし、先端部下面に後述するコネクタ本体３に配設された第１コンタクト５と電気的に接触するパッド部Ｓｃが整列し配置されている。パッド部Ｓｃは、第１カードＤのパッド部Ｄｃとは異なるピッチおよび配置となっている。また、第３カードＭのパッド部Ｍｃとは同様のピッチおよび配置となっている。
【００５７】
図１１に示されるように第３カードＭは、第１カードＤと略同じ寸法の所定の外形寸法幅Ｍｗと所定の厚みＭｔとを有し、一端に細長い切欠きＭａと、切欠きＭａより小さな切欠きＭｂが設けられている。また、先端部下面に後述するコネクタ本体３に配設された第１コンタクト５と電気的に接触するパッド部Ｍｃが所定のピッチで配置されている。パッド部Ｍｃは、第１カードＤのパッド部Ｄｃとは異なるピッチおよび配置となっている。また、第２カードＳのパッド部Ｓｃとは同様のピッチおよび配置となっている。
【００５８】
第１カードＤと第３カードＭは、外形寸法幅とカードの厚さとが略同じであるため、カードコネクタにおいて両カードを識別することは困難となる。
【００５９】
図１２、図１３に示されるように、第３カードＭが装着されるキャリアＣは、平面形状がほぼ四角形の台板５４と、台板５４の一端に設けられたフランジ部５５とを有している。フランジ部５５の内側には細長い溝形の窪み５６が形成されている。両側部には階段状の段部５７が、他端には、第３カードＭの取り外しを容易にするために、細長い円弧状の切欠き５８が設けられている。また、フランジ部５５の他端両角部には、装着時の安定を確保するための、第３カードＭの切欠きＭａに対応する細長い形状の大きな突部５９と、第３カードＭの切欠きＭｂに対応する細長い形状の小さな突部６０とが形成されている。
キャリアＣの外形寸法幅は、第２カードＳの外形寸法幅Ｓｗと略同じ外形寸法幅Ｃｗ１に形成されている。
【００６０】
従って、図１４、図１５に示されるようにキャリアＣのフランジ部５５の窪み５６に、第３カードＭの一端が嵌め込まれて取付けられ、突部５９、６０に、第３カードＭの両角部の切欠きＭａ、Ｍｂがそれぞれ係合し、しっかりと装着される。
【００６１】
勿論、本発明のカードコネクタに挿入されるカードは、ＭＳデュオカード、ＳＤカード、ミニＳＤカードに限定されるものではなく、他のＩＣカードを適宜に使用できるものである。  
【００６２】
本発明のカードコネクタにおいては、第１カードＤを使用する場合と、第２カードＳまたはキャリアＣに装着された第３カードＭを使用する場合とを考慮し説明する。
【００６３】
（使用形態１）
本発明のカードコネクタ１に、第１カードＤを使用する場合の使用形態について説明する。
【００６４】
第１カードＤの先端部がカードコネクタ１のカード挿入口9の下段案内路２５間に位置され、図１６、図１７に示されるように、挿入される。第１カードＤの先端部は、切欠きａの無い方の角部が一方のカードガイド１０のガイド傾斜部１６の上に載ると共に、これに続いて他方の角部に続く側縁部が他方のガイド傾斜部１６の上に載るようになる。これにより、第１カードＤの先端部は、カードガイド１０のガイド傾斜部１６のスロープに沿って上方に押し上げられて、第１カードＤの下面は、第１コンタクト５に何等触れることが無い上方の浮上した位置に位置されるようになる。さらに、第１カードＤを押して挿入すれば、上段案内路２４に沿って挿入されて、イジェクト機構８のイジェクト部材４０のカード受け部４１の角部に切欠きａ部分が係合されてカード受け部４１に当接するようになる。この場合に、第１カードＤが裏返しで挿入されたり、逆差しされると、第１カードＤの切欠きａとイジェクト部材４０のカード受け部４１の角部の形状が合致しないため、カードの裏差しや逆差しが防止できる。
【００６５】
さらに第１カードＤを挿入すると、図１８、図１９に示されるように、イジェクト部材４０がスライドされることにより、イジェクト機構８のばね部材４２が圧縮されて、第２コンタクト６に第１カードＤのパッド部が接触する位置に位置される。
【００６６】
同時に、イジェクト機構８のカムレバー４５によってイジェクト部材４０が固定保持され、第１カードＤのパッド部と第２コンタクト６とが電気的に接触する位置に固持され、使用状態となる。
【００６７】
使用が終わって、第１カードＤを取り出したい時には、第１カードＤを僅かに押すことにより、カムレバー４５の端部がハート形カム４３の凹部４６から離れて外れるようになる。こうして、第１カードＤは、イジェクト部材４０を介してばね部材４２の弾性力によって押し出され、第１カードＤの端部を持って、第１カードＤを引き出す。
【００６８】
また、カードガイド１０Ａを電気的なカード認識として用いられる場合、図示されるように第１カードＤは、カードガイド１０Ａのカード認識部１５と当接しない。そのためカードガイド１０Ａは横方向に弾性変位しないためカード認識用コンタクト５０に接触はしない。
【００６９】
（使用形態２）
本発明のカードコネクタ１に、第２カードＳと、キャリアＣに装着され、第２カードＳと略同じ外形寸法幅のカードとして使用される第３カードＭと、を使用する場合の使用形態について説明する。
【００７０】
まず、第２カードＳがカードコネクタ１に挿入される場合を説明する。
【００７１】
図２１、図２２に示されるように、第２カードＳの先端部がカードガイド１０のカード認識部１５に当接してカードガイド１０を外方に押し開き、カードガイド１０の折曲部１９をカード認識用コンタクト５０と接触させる。
【００７２】
このように、カードガイド１０とカード認識用コンタクト５０とが図２７に示すように接触することによって、カード認識用コンタクト５０を介して端子５１、５２間に電流が流れて信号が発せられ、第２カードＳの挿入が認識されるようになる。
【００７３】
図２３、図２４に示されるように、さらに、第２カードＳを挿入すると、第２カードＳの先端部が、ほぼL字形のイジェクト部材４０の長手方向の脚部の先端面に当接してイジェクト部材４０を押圧し、イジェクト機構８のばね部材４２が圧縮され、第１コンタクト５に第２カードSのパッド部が接触する所要の位置に位置されるようになる。
【００７４】
同時に、イジェクト機構８のカムレバー４５によってイジェクト部材４０が固定保持され、第２カードＳのパッド部が第１コンタクト５と接触した位置に固持され、使用状態となる。
【００７５】
使用が終わって、第２カードＳを取り出したい時には、図２３、図２４に示される状態において、第２カードＳを僅かに押すことにより、カムレバー４５の端部がハート形カム４３の窪み部４６から離れて外れるようになる。こうして、第２カードＳは、イジェクト部材４０を介してばね部材４２の弾性力によって押し出され、第２カードＳの端部を持って、第２カードＳを引き出す。
【００７６】
次いで、キャリアＣに装着された第３カードＭがカードコネクタ１に挿入される場合を説明する。
【００７７】
図２５、図２６に示されるように、キャリアＣの先端部がカードガイド１０のカード認識部１５に当接してカードガイド１０を外方に押し開き、カードガイド１０の折曲部１９をカード認識用コンタクト５０と接触させる。
【００７８】
このように、カードガイド１０とカード認識用コンタクト５０とが図２７に示すように接触することによって、カード認識用コンタクト５０を介して端子５１、５２間に電流が流れて信号が発せられ、キャリアＣに装着された第３カードＭの挿入が認識されるようになる。
【００７９】
図２５、図２６に示されるように、さらに、キャリアＣに装着された第３カードＭを挿入すると、キャリアＣの先端部が、ほぼＬ字形のイジェクト部材４０の長手方向の脚部の先端面に当接してイジェクト部材４０を押圧し、イジェクト機構８のばね部材４２が圧縮され、第１コンタクト５に第３カードＭのパッド部が接触する所要の位置に位置されるようになる。
【００８０】
同時に、イジェクト機構８のカムレバー４５によってイジェクト部材４０が固定保持され、第３カードＭのパッド部が第１コンタクト５と接触した位置に固持され、使用状態となる。
【００８１】
使用が終わって、キャリアＣに装着された第３カードＭを取り出したい時には、図２５、図２６に示される状態において、キャリアＣを僅かに押すことにより、カムレバー４５の端部がハート形カム４３の窪み部４６から離れて外れるようになる。こうして、キャリアＣに装着された第３カードＭは、イジェクト部材４０を介してばね部材４２の弾性力によって押し出され、キャリアＣの端部を持って、キャリアＣに装着された第３カードＭを引き出す。
【００８２】
このように、本発明のカードコネクタにおいては、１つのカードコネクタによって大きさの異なる大小の複数種類の、ＳＤカード、ミニＳＤカード、ＭＳデュオカード等を、カード自体に何等の特別なことを施さずに、かつ何の支障も無く共通して使用することができる。また、本発明によれば、カードコネクタ自体を、偏平で薄形の形状のコネクタハウジングに、コネクタ本体とカバー部材とを組合せイジェクト機構を配設することによって少ない部材で、シンプルな構造に製作することができ、低背化して薄形に製作することが可能であり、携帯電話機やゲーム機、ノートパソコン、携帯型オーディオ、テレビ、ビデオ、デジタルカメラ、カラオケ用マイク等のような情報端末機器や各種の電子機器等に好適に使用することが可能である。
【産業上の利用可能性】
【００８３】
本発明のカードコネクタは、携帯電話機、電話機、ＰＤＡ（personal  digital  assistance）、ゲーム機、ノートパソコン、携帯型オーディオ、テレビ、ビデオ、デジタルカメラ等や情報端末機器等の電子機器に利用することが出来る。
【図面の簡単な説明】
【００８４】
【図１】本発明のカードコネクタをカード挿入口側から見た全体の斜視図である。
【図２】図１の本発明のカードコネクタをカード挿入口側から見た端面図である。
【図３】図１のIII―III線に沿った断面図である。
【図４】図１の本発明のカードコネクタを、カバー部材を取外して示す同様な斜視図である。
【図５】本発明のカードコネクタの一方の側壁に設けられたカードガイドの拡大部分斜視図である。
【図６】図１のカードコネクタを、カバー部材を取外して示す平面図である。
【図７】図５のカードガイドの斜視図である
【図８】図５のカードガイドの平面部分図である。
【図９】第１カードのＭＳデュオカードを示す図で、（a）は平面図、（b）は底面図、（c）は側面図である。
【図１０】第２カードのＳＤカードを示す図で、（a）は平面図、（b）は底面図、（c）は側面図である。
【図１１】第３カードのミニＳＤカードを示す図で、（a）は平面図、（b）は底面図、（c）は側面図である。
【図１２】第３カードのミニＳＤカードを装着するキャリアを示す図で、（a）は平面図、（b）は底面図、（c）は（b）のＸIIc―ＸIIc線に沿った断面図である。
【図１３】図１２のキャリアにミニＳＤカードを装着する際の斜視図である。
【図１４】図１３のキャリアにミニＳＤカードが装着された斜視図である。
【図１５】図１４のＸＶ―ＸＶ線に沿った断面図である。
【図１６】第１カードのＭＳデュオカードを挿入する時の、本発明のカードコネクタをカバー部材を取外して示す平面図である。
【図１７】図１６の長手方向中央縦断面図である。
【図１８】第１カードが完全に挿入された時の同様な平面図である。
【図１９】図１８の長手方向中央縦断面図である。
【図２０】第１カードのＭＳデュオカードが挿入された時のカードガイド部分の平面図である。
【図２１】第２カードのＳＤカードを装着する時の、本発明のカードコネクタを、カバー部材を取外して示す平面図である。
【図２２】図２１の長手方向中央縦断面図である。
【図２３】第２カードのＳＤカードが完全に挿入された時の、本発明のカードコネクタを、カバー部材を取外して示す平面図である。
【図２４】図２３の長手方向中央縦断面図である。
【図２５】第３カードのミニＳＤカードが装着されたキャリアが挿入された時の長手方向中央縦断面図である。
【図２６】図２５の第３カードのミニＳＤカードが装着されたキャリアが完全に挿入された時の同様な長手方向中央縦断面図である。
【図２７】第２カードのＳＤカードまたは第３カードのミニＳＤカードが装着されたキャリアが完全に挿入されてカードガイドが外方に開いた時の図である。
【符号の説明】
【００８５】
１          カードコネクタ
３          コネクタ本体
４          カバー部材
５          第１コンタクト
６          第２コンタクト
８          イジェクト機構
９          カード挿入口
１０        カードガイド
１２        前カード装着部
１３        後カード装着部
１４        カードガイド本体
１５        カード認識部
１６        ガイド傾斜部
１７        アーム部
１８        取付脚部
１９        折曲部
２０        ベース部
２１        側壁
２２        側壁
２３        端壁
２４        上段案内路
２５        下段案内路
２６        溝
２７        溝
２９        突部
３８        開口部
４０        イジェクト部材
４１        カード受け部
４２        ばね部材
４３        ハート形カム
４４        カム溝
４５        カムレバー
４６        凹部
４７        作動開始用溝
４８        直線状作動溝
５０        カード認識用コンタクト
５１        端子
５２        端子
５４        台板
５５        フランジ部
５６        窪み
５７        段部
５８        切欠き  
５９        突部
６０        突部
Ｃ          キャリア
Ｄ          第１カード（ＭＳデュオカード）
Ｓ          第２カード（ＳＤカード）
Ｍ          第３カード（ミニＳＤカード）
【図１】
2006164749.tif 000003
【図２】
2006164749.tif 000004
【図３】
2006164749.tif 000005
【図４】
2006164749.tif 000006
【図５】
2006164749.tif 000007
【図６】
2006164749.tif 000008
【図７】
2006164749.tif 000009
【図８】
2006164749.tif 000010
【図９】
2006164749.tif 000011
【図１０】
2006164749.tif 000012
【図１１】
2006164749.tif 000013
【図１２】
2006164749.tif 000014
【図１３】
2006164749.tif 000015
【図１４】
2006164749.tif 000016
【図１５】
2006164749.tif 000017
【図１６】
2006164749.tif 000018
【図１７】
2006164749.tif 000019
【図１８】
2006164749.tif 000020
【図１９】
2006164749.tif 000021
【図２０】
2006164749.tif 000022
【図２１】
2006164749.tif 000023
【図２２】
2006164749.tif 000024
【図２３】
2006164749.tif 000025
【図２４】
2006164749.tif 000026
【図２５】
2006164749.tif 000027
【図２６】
2006164749.tif 000028
【図２７】
2006164749.tif 000029